【手続補正書】
【提出日】平成25年11月6日(2013.11.6)
【手続補正１】
【補正対象書類名】明細書
【補正対象項目名】図面の簡単な説明
【補正方法】変更
【補正の内容】
【図面の簡単な説明】
【００１０】
本発明の上記の、並びに他の特徴及び利点、並びにそれらを実現する方法は、本発明の実施形態の以下の説明文を添付の図面と併せて参照することでより明らかとなり、また発明自体のより深い理解が得られるであろう。
【図１】  本発明の外科用器具実施形態の断面図。
【図１Ａ】  本発明の埋め込み可能なステープルカートリッジの一実施形態の斜視図。
【図１Ｂ】  本発明の埋め込み可能なステープルカートリッジ実施形態で組織をクランピング及びステープリングする、本発明の様々な実施形態のエンドエフェクタの部分を例示する。
【図１Ｃ】  本発明の埋め込み可能なステープルカートリッジ実施形態で組織をクランピング及びステープリングする、本発明の様々な実施形態のエンドエフェクタの部分を例示する。
【図１Ｄ】  本発明の埋め込み可能なステープルカートリッジ実施形態で組織をクランピング及びステープリングする、本発明の様々な実施形態のエンドエフェクタの部分を例示する。
【図１Ｅ】  本発明の埋め込み可能なステープルカートリッジ実施形態で組織をクランピング及びステープリングする、本発明の様々な実施形態のエンドエフェクタの部分を例示する。
【図２】  断面図で図示される、本発明のエンドエフェクタ実施形態及び外科用ステープリング器具の実施形態の一部分の、分解組立図。
【図３】  本発明のアンビル実施形態の側方立面図。
【図４】  図１に示されるハンドルアセンブリの一部分の断面図。
【図５】  図１の直線５−５に沿って取られた、図１のハンドルアセンブリの部分断面図。
【図６】  本発明の発射伝達器の実施形態の一部分の斜視図。
【図７】  図１の直線７−７に沿ってとった、図１のハンドルアセンブリの部分断面図。
【図８】  図７の直線８−８に沿ってとった、図７のハンドルアセンブリの一部分の部分断面図。
【図９】  エンドエフェクタが外科用器具のスパイン部分に連結された後、及びこれに固定される前の、本発明の外科用器具実施形態の断面図。
【図９Ａ】  エンドエフェクタ及び図１０の外科用器具の一部分の拡大図。
【図１０】  エンドエフェクタが外科用器具のスパイン部分に固定された後の、図９の外科用器具の断面図。
【図１０Ａ】  エンドエフェクタ及び図１０の外科用器具の一部分の拡大図。
【図１１】  第１発射アダプタが、アンビルのクランピング傾斜部の開始部まで前進した後の、図９及び図１０の外科用器具の断面図。
【図１１Ａ】  エンドエフェクタ及び図１１の外科用器具の一部分の拡大図であり、そのアンビルとステープルカートリッジとの間に組織が受容されている。
【図１２】  第１発射アダプタがアンビルのクランピング傾斜部にわたり前進した後の、図９〜１１の外科用器具の断面図。
【図１２Ａ】  エンドエフェクタ及び図１２の外科用器具の一部分の拡大図。
【図１３】  埋め込み可能なステープルカートリッジ内で、ステープルを完全に形成するために、第１発射アダプタがステープル形成傾斜面にわたって前進された後の、図９〜１２の外科用器具の断面図。
【図１３Ａ】  エンドエフェクタ及び図１３の外科用器具の一部分の拡大図。
【図１４】  埋め込み可能なステープルカートリッジ内でステープルを完全に形成するために、ステープル形成傾斜面にわたって第１発射アダプタが前進した後、かつエンドエフェクタを通じてナイフバーが長手方向に前進した後の、図９〜１３の外科用器具の断面図。
【図１４Ａ】  エンドエフェクタ及び図１４の外科用器具の一部分の拡大図。
【図１５】  本発明の別のエンドエフェクタの実施形態の分解図であり、本発明の外科用器具の実施形態のスパイン部材の一部分が断面図で図示されている。
【図１６】  開放位置にあり、外科用器具の実施形態に取り付けられた、図１５のエンドエフェクタ実施形態の部分断面図。
【図１７】  完全にクランピングした位置にある、図１５及び図１６のエンドエフェクタの実施形態の別の部分断面図。
【図１８】  完全に発射した位置、及び遠位ナイフ部材の前進の前の、図１５〜１７のエンドエフェクタの実施形態の別の部分断面図。
【図１９】  完全に発射した位置、及び遠位ナイフ部材の前進の前の、図１５〜１８のエンドエフェクタの実施形態の別の部分断面図。
【図２０】  本発明の別のハンドルアセンブリ実施形態の一部分の断面図。
【図２１】  図２０の直線２１−２１に沿ってとった、図２０のハンドルアセンブリの一部分の部分断面図。
【図２２】  図２０の直線２２−２２に沿ってとった、図２０のハンドルアセンブリの一部分の部分断面図。
【図２３】  図２０の直線２３−２３に沿ってとった、図２０のハンドルアセンブリの一部分の部分断面図。
【図２４】  本発明の別のハンドルアセンブリ実施形態の一部分の断面図。
【図２５】  エンドエフェクタが本発明の外科用ステープルカートリッジ実施形態を支持し、そのアンビルが開放位置にある、本発明の外科用器具の実施形態の一部分に連結された、本発明の別のエンドエフェクタ実施形態の部分断面図。
【図２６】  閉鎖位置における、図２５のエンドエフェクタの別の部分断面図。
【図２７】  ナイフバーがエンドエフェクタを通じて前進し始める際の、図２５及び図２６のエンドエフェクタの別の部分断面図。
【図２８】  ナイフバーが内部を通じて部分的に前進した、図２５〜２７のエンドエフェクタの別の部分断面側面図。
【図２９】  エンドエフェクタが本発明の別の外科用ステープルカートリッジ実施形態を支持し、そのアンビルが開放位置にある、本発明の外科用器具の実施形態の一部分に連結された、本発明の別のエンドエフェクタ実施形態の部分断面図。
【図３０】  ナイフバーが内部を通じて部分的に前進した、図２９のエンドエフェクタの別の部分的な断面側面図。
【図３１】  そのエンドエフェクタのアンビルが開放位置にある、本発明の別の外科用器具の実施形態の断面図。
【図３２】  断面図で図示される、エンドエフェクタ実施形態及び図３１の外科用ステープリング器具の実施形態の一部分の分解組立図。
【図３３】  エンドエフェクタ、及び図３１の外科用器具の細長いシャフトアセンブリの一部分の平面図であり、その部分が、図３１の線３３−３３に沿ってとった断面図として図示されている。
【図３４】  エンドエフェクタ及び図３１の外科用器具の細長いシャフトアセンブリの一部分の平面図であり、その部分が断面図で図示されている。
【図３５】  エンドエフェクタ、及び図３１の外科用器具の細長いシャフトアセンブリの一部分の別の平面図であり、エンドエフェクタが関節運動した向きにあり、エンドエフェクタが開放位置にある。
【図３６】  エンドエフェクタが閉鎖又はクランプ位置にある、図３５のエンドエフェクタの別の平面図。
【図３７】  図３６に示されるエンドエフェクタ及び外科用器具実施形態の一部分の拡大図。
【図３８】  図３１の外科用器具のハンドルアセンブリの一部分の断面図。
【図３９】  図３８の直線３９−３９に沿ってとった、図３８のハンドルアセンブリの部分の別の断面図。
【図４０】  本発明の様々な実施形態の関節運動ボール及びソケット構成の部分斜視分解図。
【図４１】  関節運動していない位置における、本発明の別の外科用器具実施形態の、エンドエフェクタ及び細長いシャフトアセンブリの一部分の平面図。
【図４２】  関節運動した位置にある、図４１のエンドエフェクタ及び細長いシャフトアセンブリの一部分の別の平面図。
【図４３】  本発明の別の外科用器具実施形態の断面図。
【図４４】  図４３の外科用器具実施形態の関節運動したシャフトアセンブリの一部分の部分断面図。Ａは、図４４の関節運動したシャフトアセンブリの一部分の断面図。Ｂ〜Ｆは、図４４の関節運動したシャフトアセンブリの別の部分の別の断面図。
【図４５】  図４４の直線４５−４５に沿ってとった、図４４の関節運動したシャフトアセンブリの部分断面図。
【図４６】  図４４の直線４６−４６に沿ってとった、図４４の関節運動したシャフトアセンブリの部分断面図。
【図４７】  そのエンドエフェクタが完全に関節運動した位置にあるものとして図示される、図４３の外科用器具の別の断面図。
【図４８】  ベローズ状のカバーが関節部にわたって延びる、図４７のエンドエフェクタの断面図。
【図４９】  本発明の別の外科用器具実施形態のハンドルアセンブリの断面図。
【図５０】  図４９の細長いシャフトアセンブリのエンドエフェクタ及び遠位端の断面分解組立図。
【図５１】  エンドエフェクタが開放位置にある、エンドエフェクタ及び図５０の細長いシャフトアセンブリの一部分の別の断面図。
【図５２】  エンドエフェクタが閉鎖位置にある、エンドエフェクタ及び細長いシャフトアセンブリの部分の別の断面図。
【図５３】  ナイフ部材が完全に発射した位置にある、エンドエフェクタ、及び図４９〜５２の細長いシャフトアセンブリの部分の別の断面図。
【図５４】  開放位置にある、図５１〜５３のエンドエフェクタの斜視図。
【図５５】  図５１の直線５５−５５に沿ってとった、図５１〜５４のエンドエフェクタの断面図。
【図５６】  本発明のエンドエフェクタ実施形態に取り付けられた、本発明の別の実施形態の細長いシャフトアセンブリの部分斜視図。
【図５７】  本発明の別の外科用器具実施形態のハンドルアセンブリの部分断面図。
【図５８】  図５７の直線５８−５８に沿ってとった、図５６及び５７の細長いシャフトアセンブリの一部分の断面図。
【図５９】  図５７のハンドルアセンブリの一部分の拡大図。
【図６０】  図５６〜５９の細長いシャフトアセンブリの遠位端部分の断面図。
【図６１】  本発明のエンドエフェクタ実施形態に取り付けられた、本発明の別の実施形態の細長いシャフトアセンブリの部分斜視図。
【図６２】  図６１の細長いシャフトの再構成可能なシャフト区分の一部分の断面図。
【図６３】  本発明のエンドエフェクタ実施形態に取り付けられた、本発明の別の実施形態の細長いシャフトアセンブリの部分斜視図。
【図６４】  本発明の別の外科用器具実施形態のハンドルアセンブリの断面図。
【図６５】  図６４の直線６５−６５に沿ってとった、図６３及び６４の細長いシャフトアセンブリの一部分の断面図。
【図６６】  図６４のハンドルアセンブリの一部分の拡大図。
【図６７】  その管状連結部分が実質的に直線上に位置合わせされた、図６３に図示される再構成可能なシャフト区分の一部分の断面図。
【図６８】  その管状連結部分が、実質的に曲線上（非同軸状）の向きで位置合わせされている、図６３及び図６７に示される、再構成可能なシャフト区分の一部分の断面図。
【図６９】  本発明の、外科用切断及びステープリング装置の実施形態内に挿入された、本発明の代替的ステープルカートリッジ実施形態の斜視図。
【図７０】  図６９に示される装置の外科用ステープルカートリッジ及び細長いチャネルの平面図。
【図７１】  本発明のエンドエフェクタ実施形態の細長いチャネル内に挿入された、本発明の別の外科用ステープルカートリッジ実施形態の平面図。
【図７２】  本発明のアンビル実施形態の底面図。
【図７３】  本発明のステープルのライン実施形態の一部分を形成する複数のステープルの部分斜視図。
【図７４】  外科用切断及びステープリング装置のアンビルと接触することにより形成された後のそのステープルを備える、図７３のステープルのライン実施形態の別の部分斜視図。
【図７５】  本発明の代替的ステープルのライン実施形態の一部分を形成する、他のステープルの部分斜視図。
【図７６】  本発明の代替的ステープルのライン実施形態の一部分を形成する、他のステープルの部分斜視図。
【図７７】  本発明の代替的ステープルのライン実施形態の一部分を形成する、他のステープルの部分斜視図。
【図７８】  本発明のステープルカートリッジ実施形態を支持する、本発明のエンドエフェクタ実施形態の断面図。
【図７９】  埋め込み可能なステープルカートリッジ本体部分及びステープルが取り除かれた後の、図７８のエンドエフェクタの細長いチャネル部分の断面図。
【図８０】  本発明の別のステープルカートリッジ実施形態を支持する、本発明のエンドエフェクタ実施形態の断面図。
【図８１】  カートリッジ固定システムを非固定位置に動かすために、ステープルカートリッジがそのエンドエフェクタ内に支持された、本発明の外科用ステープリング器具実施形態の部分断面図。
【図８２】  ステープルカートリッジがエンドエフェクタから取り除かれ、カートリッジ固定システムが固定位置にある、図８１の外科用ステープリング器具の別の部分断面図。
【図８３Ａ】  少なくとも１つの実施形態による、折り畳み式ステープルカートリッジ内に位置付けられた、外科用ステープルの変形を示す図。
【図８３Ｂ】  少なくとも１つの実施形態による、折り畳み式ステープルカートリッジ内に位置付けられた、外科用ステープルの変形を示す図。
【図８３Ｃ】  少なくとも１つの実施形態による、折り畳み式ステープルカートリッジ内に位置付けられた、外科用ステープルの変形を示す図。
【図８３Ｄ】  少なくとも１つの実施形態による、折り畳み式ステープルカートリッジ内に位置付けられた、外科用ステープルの変形を示す図。
【図８４Ａ】  圧壊式ステープルカートリッジ本体内に位置付けられる、ステープルを例示する図。
【図８４Ｂ】  アンビルにより圧壊される、図８４Ａの圧壊式ステープルカートリッジ本体を例示する図。
【図８４Ｃ】  アンビルにより更に圧壊される、図８４Ａの圧壊式ステープルカートリッジを例示する図。
【図８４Ｄ】  完全に形成された状態の図８４Ａのステープル、及び完全に圧壊した状態の図８４Ａの圧壊式ステープルカートリッジを例示する図。
【図８５】  ステープルカートリッジ支持表面に対して位置付けられたステープルを示し、その間の潜在的な相対移動を例示する図。
【図８６】  図８５のステープルの基部を安定化させるように構成された、スロット又はトラフを含む、ステープルカートリッジ支持表面の断面図。
【図８７】  少なくとも１つの代替的実施形態により、オーバーモールドされたクラウン、及びクラウンの一部分を受容するように構成されたスロット又はトラフを含む、ステープルの断面図。
【図８８】  折り畳み式ステープルカートリッジ本体内に埋め込まれたステープルを含む、少なくとも一実施形態による、ステープルカートリッジの平面図。
【図８９】  図８８のステープルカートリッジの立面図。
【図９０】  折り畳み式ステープルカートリッジ本体内に位置付けられた、ステープルを囲む、保護層を含む、少なくとも一実施形態によるステープルカートリッジの立面図。
【図９１】  図９０の直線９１−９１に沿ってとった、図９０のステープルカートリッジの断面図。
【図９２】  折り畳み式ステープルカートリッジ本体の外側で少なくとも部分的に延びるステープルと、ステープルカートリッジ本体を囲む保護層とを含む、少なくとも一実施形態による、ステープルカートリッジの立面図。
【図９３】  図９２の直線９３−９３に沿ってとった、図９２のステープルカートリッジの断面図。
【図９４】  少なくとも一部が折りたたみ式のステープルカートリッジ本体内に埋め込まれた、ステープルを含む、少なくとも１つの実施形態による、ステープルカートリッジの部分切り欠き図であり、ステープルは、少なくとも一部分が、ステープルカートリッジ本体のステープル空洞部内に位置付けられる。
【図９５】  図９４の直線９５−９５に沿ってとった、図９４のステープルカートリッジの断面図。
【図９６】  少なくとも一実施形態による、ステープルカートリッジの部分切り欠き図。
【図９７】  少なくとも一部分が折り畳み式ステープルカートリッジ内に埋め込まれステープルと、ステープルを接続し、ステープルを互いに対して位置合わせさせる、位置合わせマトリックスとを含む、少なくとも一実施形態による、ステープルカートリッジの部分切り欠き図。
【図９８】  図９７の直線９８−９８に沿ってとった、図９７のステープルカートリッジの断面図。
【図９９】  圧縮可能なカートリッジ本体の内層の部分切り欠き図。
【図１００】  移送プレートと支持プレートとの間で圧縮される、図９９の内層を例示する図。
【図１０１】  図１００の圧縮された内層内に挿入されたステープルを例示する図。
【図１０２】  内層から取り除かれた、図１００の支持プレートの図。
【図１０３】  図９９の内層と、外層に挿入された図１０１のステープルとを含む、サブアセンブリの図。
【図１０４】  封止したステープルカートリッジを形成するために封止された、図１０３の外層を例示する図。
【図１０５】  図１０４の封止したステープルカートリッジの断面図。
【図１０６】  少なくとも一実施形態による、ステープルカートリッジ、及びステープルカートリッジチャネルの断面図。
【図１０７】  変形した状態の図１０６のステープルカートリッジの一部分を例示する図。
【図１０８】  開放位置におけるアンビルと、ステープルカートリッジチャネル内に位置付けられるステープルカートリッジとを含む、外科用ステープラーのエンドエフェクタの立面図。
【図１０９】  閉鎖位置にあるアンビル、及びアンビルとステープルカートリッジチャネルとの間で圧縮されるステープルカートリッジを例示する、図１０８のエンドエフェクタの立面図。
【図１１０】  代替的様式でステープルカートリッジチャネル内に位置付けられる、図１０８のステープルカートリッジを例示する、図１０８のエンドエフェクタの立面図。
【図１１１】  ステープルカートリッジチャネル内に位置付けられた圧縮可能なステープルカートリッジ、及びアンビルに取り付けられた一片のバットレス材料を含む、外科用ステープラーのエンドエフェクタの断面図。
【図１１２】  閉鎖位置にあるアンビルを例示する、図１１１のエンドエフェクタの断面図。
【図１１３】  水不透過性層を含むステープルカートリッジを含む、外科用ステープラーのエンドエフェクタの代替的実施形態の断面図。
【図１１４】  外科用ステープラーのエンドエフェクタの別の代替的実施形態の断面図。
【図１１５】  ステップ付きアンビルを含む外科用ステープラーのエンドエフェクタ、及び、ステップ付きカートリッジ本体を含むステープルカートリッジの代替的実施形態の断面図。
【図１１６】  外科用ステープラーのエンドエフェクタの別の代替的実施形態の断面図。
【図１１７】  傾斜した組織接触表面を含む外科用ステープラーのエンドエフェクタの代替的実施形態の断面図。
【図１１８】  傾斜した組織接触表面を含む外科用ステープラーのエンドエフェクタの別の代替的実施形態の断面図。
【図１１９】  ステープルカートリッジを支持するように構成された支持インサートを含む、外科用ステープラーのエンドエフェクタの代替的実施形態の断面図。
【図１２０】  複数の圧縮可能な層を含む、ステープルカートリッジを含む、外科用ステープラーのエンドエフェクタの代替的実施形態の断面図。
【図１２１】  ステップ付き圧縮可能カートリッジ本体を含む、ステープルカートリッジを含む、外科用ステープラーのエンドエフェクタの代替的実施形態の断面図。
【図１２２】  ステップ付き圧縮可能なカートリッジ本体を含む、ステープルカートリッジを含む、外科用ステープラーのエンドエフェクタの別の代替的実施形態の断面図。
【図１２３】  湾曲した組織接触表面を含む、ステープルカートリッジを含む、外科用ステープラーのエンドエフェクタの代替的実施形態の断面図。
【図１２４】  傾斜した組織接触表面を有する、ステープルカートリッジを含む、外科用ステープラーのエンドエフェクタの代替的実施形態の断面図。
【図１２５】  ステープル及び内部に貯蔵された少なくとも１種の薬剤を含む、圧縮可能なステープルの断面図。
【図１２６】  圧縮され、内部に収容されたステープルが変形した後の、図１２５の圧縮可能なステープルカートリッジを例示する図。
【図１２７】  少なくとも一実施形態による、ステープルカートリッジの部分切り欠き図。
【図１２８】  図１２７のステープルカートリッジの断面図。
【図１２９】  少なくとも１つの代替的実施形態による、埋め込まれたステープルカートリッジの斜視図。
【図１３０】  図１２９の埋め込まれたステープルの断面図。
【図１３１】  ステープルカートリッジの外層から延びる変形可能な部材を含む、ステープルカートリッジの代替的実施形態の斜視図。
【図１３２】  内層に組み合わされたステープルカートリッジの外層を含むステープルカートリッジの代替的実施形態の斜視図。
【図１３３】  複数のステープル、圧縮可能な層、及びプレジット層を含む、ステープルカートリッジの代替的実施形態の断面図。
【図１３４】  図１３３のプレジット層の斜視図。
【図１３５】  図１３３のプレジット層から分離にされたプレジット、及びプレジットの溝と位置合わせされたステープルの斜視図。
【図１３６】  図１３３のプレジット層からの、２つの接続されたプレジットの斜視図。
【図１３７】  分離されたプレジットから取り除かれた、図１３３のプレジット層のプレジット支持フレームの斜視図。
【図１３８】  内部にステープルを含む圧縮可能なステープルカートリッジ、及びアンビルに対してステープルを駆動するためのシステムの代替的実施形態の分解斜視図。
【図１３８Ａ】  図１３８のステープルカートリッジの代替的実施形態の部分切り欠き図。
【図１３９】  図１３８のステープルカートリッジの断面図。
【図１４０】  図１３８のステープルカートリッジを横断し、ステープルをアンビルの方に動かすように構成されたスレッドの立面図。
【図１４１】  図１４０のスレッドによって、アンビルの方に持ち上げられ得る、ステープルドライバの図。
【図１４２】  ステープルドライバ内に位置付けられた、ステープルを含む少なくとも１つの代替的実施形態による、ステープルカートリッジの切り欠き図。
【図１４３】  ステープルカートリッジチャネル内に位置付けられた、図１４２のステープルカートリッジの断面図。
【図１４４】  閉鎖位置に動かされたアンビル、及びアンビルにより変形されたステープルカートリッジ内に収容されるステープルを例示する、図１４２のステープルカートリッジの断面図。
【図１４５】  アンビルから上方に動かされたステープルを例示する、図１４２のステープルカートリッジの断面図。
【図１４６】  ステープルカートリッジの可撓性側部を接続するストラップを含む、ステープルカートリッジの代替的実施形態の斜視図。
【図１４７】  スレッド及び切断部材アセンブリの斜視図。
【図１４８】  図１４２のステープルカートリッジのステープルを持ち上げるために使用される、図１４７のスレッド及び切断部材アセンブリの図。
【図１４９】  ステープルと係合してこれをアンビルの方に持ち上げるように構成されたスレッド及び、スレッドが遠位方向に移動することを選択的に可能にするように構成されたロックアウトシステムを例示する図。
【図１５０】  Ａ〜Ｃは、ステープルクラウン内に挿入されるステープルの前進を例示する。
【図１５１】  支持パン又は保持器を含むステープルカートリッジの断面図。
【図１５２】  少なくとも１つの代替的実施形態による、圧縮可能なステープルカートリッジの部分断面図。
【図１５３】  埋め込まれた状態の図１５２のステープルカートリッジを例示する図。
【図１５４】  少なくとも１つの代替的な実施形態による、圧縮可能なステープルカートリッジの部分切り欠き図。
【図１５５】  図１５４のステープルカートリッジの部分断面図。
【図１５６】  埋め込まれた状態の図１５４のステープルカートリッジを例示する図。
【図１５７】  少なくとも１つの代替的実施形態による、圧壊式ステープルカートリッジの部分断面図。
【図１５８】  複数の折り畳み式要素を含む、少なくとも１つの実施形態による、折り畳み式ステープルカートリッジの部分切り欠き図。
【図１５９】  折り畳まれていない状態の、図１５８の折り畳み式要素の斜視図。
【図１６０】  折り畳まれた状態の、図１５９の折り畳み式要素の斜視図。
【図１６１Ａ】  ジョー、ジョーと反対側に位置付けられるステープルカートリッジチャネル、及びステープルカートリッジチャネル内に位置付けられるステープルカートリッジを含む、外科用ステープリング器具のエンドエフェクタの部分断面図であり、ジョーはそこに取り付けられた保持マトリックスを含む。
【図１６１Ｂ】  ステープルカートリッジチャネルの方に動かされるジョー、アンビル及び保持マトリックによって圧縮されるステープルカートリッジ、並びに保持マトリックス及びステープルカートリッジの中間に位置付けられる組織を通じて少なくとも部分的に延びるステープルを例示する、図１６１Ａのエンドエフェクタの部分断面図。
【図１６１Ｃ】  最終位置にあるジョー、及び図１６１Ｂのステープルと係合する保持マトリックスを例示する図１６１Ａのエンドエフェクタの部分断面図。
【図１６１Ｄ】  埋め込まれたステープルカートリッジ及び保持マトリックスからジョー及びステープルカートリッジチャネルが取り除かれていることを例示する、図１６１Ａのエンドエフェクタの部分断面図。
【図１６２】  内部を通じて延びる締結具脚部と係合するように構成された複数の保持部材を含む、少なくとも１つの代替的実施形態による、保持マトリックスの保持開口部の斜視図。
【図１６３】  ６つの保持部材を含む、少なくとも１つの代替的実施形態による、保持マトリックスの保持開口部の斜視図。
【図１６４】  ８つの保持部材を含む、少なくとも１つの代替的実施形態による、保持マトリックスの保持開口部の斜視図。
【図１６５】  内部を通じて延びる締結具脚部と係合するように構成された複数の保持部材を含む、少なくとも１つの代替的実施形態による、保持マトリックスの保持開口部の斜視図。
【図１６６】  ６つの保持部材を含む、少なくとも１つの代替的実施形態による、保持マトリックスの保持開口部の斜視図。
【図１６７】  ８つの保持部材を含む、少なくとも１つの代替的実施形態による、保持マトリックスの保持開口部の斜視図。
【図１６８】  金属シートからスタンピングされた、複数の保持部材を含む、少なくとも１つの代替的実施形態による、保持マトリックの保持開口部の斜視図。
【図１６９】  保持開口部の外辺部の周囲に延びる、複数の開口部を含む、少なくとも１つの代替的実施形態による、保持マトリックスの保持開口部の斜視図。
【図１７０】  少なくとも１つの代替的実施形態による保持マトリックスの保持開口部の平面図。
【図１７１】  少なくとも１つの代替的実施形態による保持マトリックスの保持開口部の平面図。
【図１７２】  少なくとも１つの代替的実施形態による保持マトリックスの保持開口部の平面図。
【図１７３】  少なくとも１つの代替的実施形態による保持マトリックスの保持開口部の平面図。
【図１７４】  少なくとも１つの代替的実施形態による保持マトリックスの保持開口部の平面図。
【図１７５】  少なくとも一実施形態による、保持開口部内に延びる保持タブを含む、保持マトリックスの保持開口部の平面図。
【図１７６】  少なくとも１つの代替的実施形態による、保持開口部内に延びる保持タブを含む、保持マトリックスの保持開口部の平面図。
【図１７７】  複数のステープル、ステープルと係合する保持マトリックス、及びステープルを位置合わせするように構成された位置合わせマトリックスを含む、締結システムの斜視図。
【図１７８】  図１７７の保持マトリックスの斜視図。
【図１７９】  図１７７の位置合わせマトリックスの斜視図。
【図１８０】  図１７７のステープルと係合する、図１７７の保持マトリックスの部分平面図。
【図１８１】  図１７７のステープルと係合する、図１７７の保持マトリックスの部分底面図。
【図１８２】  図１７７の締結システムの部分立面図。
【図１８３】  図１７７の締結システムの部分斜視図。
【図１８４】  図１７７のステープルと係合する、図１７７の保持マトリックスの部分平面図。
【図１８５】  図１７７の締結システムの部分断面図。
【図１８６】  ステープルの脚部に組み合わせられた保護キャップを更に含む、図１７７の締結システムの斜視図。
【図１８７】  図１８６の締結システム構成の底面斜視図。
【図１８８】  図１８６の締結システム構成の部分斜視図。
【図１８９】  図１８６の締結システム構成の部分断面図。
【図１９０】  開放位置にあるジョー、ジョー内に位置付けられた保持マトリックス及び複数の保護キャップ、並びにステープルカートリッジチャネル内に位置付けられたステープルカートリッジを含む、少なくとも一実施形態による、エンドエフェクタの立面図。
【図１９１】  閉鎖位置にある、図１９０のエンドエフェクタの立面図。
【図１９２】  発射位置にある、図１９０のエンドエフェクタの立面図。
【図１９３】  図１９０のステープルカートリッジに組み合わされた、図１９０の保持マトリックス及び保護キャップの立面図。
【図１９４】  図１９３の構成の詳細図。
【図１９５】  ジョーが開放位置にあり、保持マトリックスとステープルカートリッジとの間により薄い組織が位置付けられているのを例示する、図１９０のエンドエフェクタの立面図。
【図１９６】  図１９５のより薄い組織に対して閉鎖した位置にある、ジョーを例示する、図１９０のエンドエフェクタの立面図。
【図１９７】  保持マトリックスとステープルカートリッジとの間に、図１９５のより薄い組織を捕捉するために、発射位置にあるジョーを例示する、図１９０のエンドエフェクタの立面図。
【図１９８】  図１９０のステープルカートリッジに組み合わされた、図１９０の保持マトリックス及び保護キャップの立面図であり、図１９５の薄い組織がその間に位置付けられている。
【図１９９】  図１９８の構成の詳細図。
【図２００】  少なくとも１つの代替的実施形態により、ステープル脚部の先端部状に位置付けられる、保護キャップの断面図。
【図２０１】  材料シート内に埋め込まれた複数の保護キャップの斜視図。
【図２０２】  内部に複数の保護キャップを受容するように構成された、複数の陥没部を含む、ジョーの斜視図。
【図２０３】  図２０２のジョー内に位置付けられた、保護キャップを被覆するシートを含む、ジョーの一部分の詳細図。
【図２０４】  保護キャップが内部形成表面を含む、少なくとも１つの代替的実施形態による、ステープル脚部の先端部上に位置付けられた保護キャップの断面図。
【図２０５】  形成表面に対して変形された、ステープル脚部を例示する、図２０４の保護キャップの別の断面図。
【図２０６】  複数の接続されたマトリックス要素を含む、保持マトリックスの代替的実施形態の平面図。
【図２０７】  複数の接続されたマトリックス要素を含む、保持マトリックスの代替的実施形態の平面図。
【図２０８】  複数の接続されたマトリックス要素を含む、保持マトリックスの代替的実施形態の平面図。
【図２０９】  複数の接続されたマトリックス要素を含む、保持マトリックスの代替的実施形態の平面図。
【図２１０】  複数の接続されたマトリックス要素を含む、保持マトリックスの代替的実施形態の平面図。
【図２１１】  圧縮可能なカバーを含む保持マトリックスを含むジョーの部分分解図。
【図２１２】  図２１１の保持マトリックスの斜視図。
【図２１３】  圧縮可能な層、及び１つ又は２つ以上の薬剤を封入する複数のセルを含む保持マトリックスを含む、締結システムの部分断面図。
【図２１４】  保持マトリックスと係合する際に、図２１３のセルを貫通したステープル脚部を例示する図。
【図２１５】  圧縮可能な層を含む、保持マトリックスを含む締結システムの部分断面図。
【図２１６】  ホルダー、第１締結具カートリッジ、及び第２締結具カートリッジを含む、締結具カートリッジ挿入アセンブリの立面図。
【図２１７】  第１ジョー及び第２ジョーを含む、外科用ステープラーのエンドエフェクタの立面図であり、第２ジョーは解放構成において例示されている。
【図２１８】  第２ジョーが閉鎖構成にあり、図２１６の締結具カートリッジ挿入アセンブリが、第１ジョーに第１カートリッジを、第２ジョーに第２カートリッジを充填するために使用されるのを例示する、図２１７のエンドエフェクタの立面図。
【図２１９】  カートリッジ挿入アセンブリがエンドエフェクタから取り除かれ、第２ジョーが再び解放構成にあり、組織が第１ジョーと第２ジョーの中間に位置付けられるのを例示する、図２１８の充填されたエンドエフェクタの立面図。
【図２２０】  発射構成にある、図２１９の充填されたエンドエフェクタの立面図。
【図２２１】  埋め込まれた状態にある、第１カートリッジ及び第２カートリッジの立面図。
【図２２２】  少なくとも一実施形態により、第１カートリッジの一部分が依然として第１ジョーと係合しているのを例示する、図２１７のエンドエフェクタの立面図。
【図２２３】  ホルダー、第１締結具カートリッジ、及び第２締結具カートリッジを含む、締結具カートリッジ挿入アセンブリの代替的実施形態の立面図。
【図２２４】  エンドエフェクタの第１ジョーに第１カートリッジを充填し、第２ジョーに第２カートリッジを充填するために使用される、図２２３の締結具カートリッジ挿入アセンブリの立面図。
【図２２５】  図２２４の充填されたエンドエフェクタの断面図。
【図２２６】  外科用ステープラーの部分が取り除かれた、少なくとも１つの実施形態による、下方ジョー及び上方ジョーを含む、外科用ステープラーの斜視図。
【図２２７】  上方ジョーが取り除かれた、図２２６の外科用ステープラーの斜視図。
【図２２８】  第１摺動自在アンビル及び第２摺動自在アンビルを含む、図２２６の外科用ステープラーの上方ジョーの摺動自在アンビルシステムの斜視図。
【図２２９】  図２２８の摺動自在アンビルシステムの端面図。
【図２３０】  図２２８の摺動自在アンビルシステムの平面図。
【図２３１】  非発射状態にある、図２２８の摺動自在アンビルシステムを例示する図。
【図２３２】  非発射位置にある図２２８の摺動自在アンビルシステムの第１摺動自在アンビル、及び非展開位置にある下方ジョー内に位置付けられたステープルを例示する図。
【図２３３】  展開構成にある、下方ジョー内のステープル、及びステープルの第１群のステープル脚部を変形させるように近位方向に引かれた、図２３２の第１摺動自在アンビルを例示する図。
【図２３４】  完全に変形した状態へと変形された、図２３３の第１群のステープルを例示する図。
【図２３５】  第２群のステープル脚部を変形するように、遠位方向に引かれた、図２２８の摺動自在アンビルシステムの第２摺動自在アンビルを例示する図。
【図２３６】  少なくとも一実施形態において、複数の形成ポケットを構成するアンビルの部分斜視図。
【図２３７】  図２３６のアンビルの断面端面図。
【図２３８】  図２３６の形成ポケットを製造する第１工程を例示する図。
【図２３９】  図２３６の形成ポケットを製造する第２工程を例示する図。
【図２４０】  図２３６のアンビルの、形成ポケット構成の平面図。
【図２４１】  アンビルを製造するための製造プロセスの第１工程を例示する図。
【図２４２】  図２４１の製造プロセスの第２工程を例示する図。
【図２４３】  図２４１の製造プロセスの第３工程を例示する図。